(57)【要約】【課題】プリンタの高機能化に伴い、該プリンタの印刷処理を制御するプリンタドライバも複雑な構成となっているため、プリンタ印刷に不慣れな初心者は容易に印刷条件を設定することができないという問題点があった。【解決手段】印刷条件を設定する印刷条件設定画面が、複数の印刷条件設定項目のそれぞれに対応する上記印刷条件を入力するための複数の印刷条件入力画面と、上記印刷条件入力画面の表示順序を設定するための印刷条件手順設定画面とを有しており、ユーザが設定した手順に基づいて表示される印刷条件入力画面で印刷条件を設定することを可能とした。これにより、設定操作に不慣れな初心者だけでなく、手馴れた者にとってもストレスなく印刷条件を設定することができる。【選択図】図９
2004326426.tif 000002
【特許請求の範囲】
【請求項１】
印刷条件を設定する機能を備えたプリンタドライバにおいて、
上記印刷条件を設定する印刷条件設定画面が、印刷条件設定項目のそれぞれに対応する上記印刷条件を入力するための複数の印刷条件入力画面と、上記印刷条件入力画面の表示順序を設定するための印刷条件手順設定画面とを有することを特徴とするプリンタドライバ。
【請求項２】
上記印刷条件設定画面は、上記印刷条件手順設定画面によって予め定められた上記印刷条件入力画面の表示順序に基づいて、当該印刷条件入力画面に対応する印刷条件設定項目をフロー図形式で表示するフロー図形式画面を有することを特徴とする請求項１に記載のプリンタドライバ。
【請求項３】
上記印刷条件入力画面は，上記印刷条件設定項目を選択することにより当該印刷条件設定項目に応じた印刷条件入力画面に切り替わるものであることを特徴とする請求項２に記載のプリンタドライバ。
【請求項４】
上記印刷条件手順設定画面は、上記印刷条件設定項目の一覧を表示する項目一覧表示部と、上記印刷条件入力画面に対応する印刷条件設定項目を上記表示順序に従って表示する順序表示部とを有し、
上記順序表示部に含まれる印刷条件設定項目を当該順序表示部から削除または上記項目一覧表示部から印刷条件設定項目を追加すること、あるいは上記順序表示部に含まれる印刷条件設定項目を表示する順序を変更することができる請求項１乃至３に記載のプリンタドライバ。
【請求項５】
上記印刷条件手順設定画面は、上記表示順序の設定名称を複数表示可能な設定名称表示部を有し、
上記設定名称表示部に新規設定名称を追加することができるとともに、上記設定名称表示部に表示される設定名称を編集または削除することができる請求項４に記載のプリンタドライバ。
【請求項６】
上記印刷条件手順設定画面は、上記設定名称表示部に表示される設定名称を選択することにより、選択された設定名称に対応する設定内容を上記順序表示部に表示することを特徴とする請求項５に記載のプリンタドライバ。
【請求項７】
上記印刷条件手順設定画面は、上記設定名称を選択するための設定名称選択画面と、
当該設定名称選択画面から表示を切り替えて、選択された設定名称に対応する設定内容を編集するための設定内容編集画面とを有し、
上記設定名称選択画面は、上記設定名称表示部と、上記順序表示部とを有し、
上記設定内容編集画面は、上記項目一覧表示部と、上記順序表示部とを有することを特徴とする請求項６に記載のプリンタドライバ。
【発明の詳細な説明】
【０００１】
【発明の属する技術分野】
本発明は，印刷条件を設定する機能を備えたプリンタドライバに関するものである。
【０００２】
【従来の技術】
コンピュータ等に接続されたプリンタにより文章や画像データの印刷処理を実行する場合，ユーザが上記コンピュータを用いて設定する印刷部数，用紙サイズ，印刷の向き，或いは用紙の種類等の印刷条件に基づいてプリンタを駆動し印刷処理を実行するプリンタドライバが必要である。即ち，従来，ユーザは，例えば図９に示されるプリンタドライバの印刷条件設定画面（プリンタドライバのプロパティ）９０上において，マウス等の入力装置を用いて自ら要求する印刷条件を設定していた。
【０００３】
しかしながら，近年のプリンタの多機能化により，かかるプリンタドライバは多数の機能に対応した複雑な構成となっているため，上記従来の印刷条件設定方法では印刷設定に多大な手間と時間を要し，更には，プリンタ印刷に不慣れな初心者等であれば設定したい印刷条件がどこにあるのか判りにくいものであった。
【０００４】
上記問題を解決するものに，印刷条件設定項目リストから選択された設定項目に対応する（リンクする）印刷条件設定画面を表示するリンク形式のプリンタドライバがある。かかるプリンタドライバによれば設定したい印刷条件設定項目を簡単に探し出すことができるので容易に印刷設定をすることができる。
【０００５】
また，予め定められた順序に従って印刷条件設定手順を案内しながら印刷条件設定画面を表示するウィザード形式のプリンタドライバがある。かかるプリンタドライバによれば案内に従って印刷設定をすればよいので，わざわざ設定したい印刷条件設定項目を探し出す必要がなく，不慣れな初心者等であっても複雑な印刷設定をすることが可能になる。
【０００６】
【発明が解決しようとする課題】
しかしながら，上記リンク形式のプリンタドライバでは，例えば設定したい印刷条件の設定項目の名称が分からない場合は印刷条件設定画面を表示させることができないため，プリンタ印刷に不慣れな初心者にとっては容易に印刷条件を設定することができないという問題点がある。
【０００７】
また，上記ウィザード形式のプリンタドライバでは，当初は初心者にとって設定しやすいドライバであっても，その設定に慣れてくるにつれて，設定する必要のない印刷条件設定画面が表示されることを煩わしく感じるという問題点がある。
【０００８】
従って，本発明は上記事情に鑑みてなされたものであり，その目的とするところは，プリンタの印刷条件を容易且つ迅速に設定することができるプリンタドライバを提供することにある。
【０００９】
【課題を解決するための手段】
上記目的を達成するために本発明は、印刷条件を設定する機能を備えたプリンタドライバにおいて、上記印刷条件を設定する印刷条件設定画面が、複数の印刷条件設定項目のそれぞれに対応する上記印刷条件を入力するための複数の印刷条件入力画面と、上記印刷条件入力画面の表示順序を設定するための印刷条件手順設定画面とを有することを特徴とするプリンタドライバとして構成されている
このことにより、ユーザ等が設定した手順に基づいて表示される印刷条件入力画面で印刷条件を設定することが可能になる。その結果，設定操作に不慣れな初心者であっても、順次表示される画面に従って印刷条件を入力していけば良いので印刷条件の設定が容易に行われることになる。
【００１０】
さらに、本発明においては以下の構成とすることができる。
（ａ）  上記印刷条件設定画面は、上記印刷条件手順設定画面によって予め定められた上記印刷条件入力画面の表示順序に基づいて、当該印刷条件入力画面に対応する印刷条件設定項目をフロー図形式で表示するフロー図形式画面を有する。
【００１１】
このことにより、予め定められた設定手順に基づいて表示される印刷条件入力画面で印刷条件の設定をしながら、フロー図で印刷条件の設定順序及び入力順位を容易に把握することが可能になる。従って、設定操作に不慣れな初心者にとって、より一層容易に印刷条件を設定することができる。
（ｂ）上記印刷条件入力画面は，上記印刷条件設定項目を選択することにより当該印刷条件設定項目に応じた印刷条件入力画面に切り替わるものである。
【００１２】
このことにより、選択された印刷条件設定項目に対応する（リンクする）印刷条件入力画面をダイレクトに表示させることができるので、設定したい印刷条件又はその印刷条件を含む設定項目が予め分かっている場合は、設定する必要のない印刷条件の入力画面を表示させることなく迅速に印刷条件を設定することができる。従って、設定操作に不慣れな初心者だけでなく、手馴れた者にとってもストレスなく印刷条件を設定することができる。
（ｃ）  上記印刷条件手順設定画面は、上記印刷条件設定項目の一覧を表示する項目一覧表示部と、上記印刷条件入力画面に対応する印刷条件設定項目を上記表示順序に従って表示する順序表示部とを有し、上記順序表示部に含まれる印刷条件設定項目を当該順序表示部から削除または上記項目一覧表示部から印刷条件設定項目を追加すること、あるいは上記順序表示部に含まれる印刷条件設定項目を表示する順序を変更することができる。
【００１３】
このことにより、印刷条件入力画面として表示する印刷設定項目およびその表示順序を自由に設定することができる。すなわち、プリンタの使用状況に合わせて、ユーザが印刷条件を変更しないような印刷設定項目を表示させないようにすること、優先順位の高い、例えば使用頻度の多い印刷設定項目の表示順序を早くすることができる。従って、ユーザは無駄な作業をすることなく、効率よく印刷条件の設定を行うことができる。
【００１４】
また、上記項目（ｃ）は、さらに以下の構成とすることができる。
（ｄ）  上記印刷条件手順設定画面は、上記表示順序の設定名称を複数表示可能な設定名称表示部を有し、
上記設定名称表示部に新規設定名称を追加することができるとともに、上記設定名称表示部に表示される設定名称を編集または削除することができる。
【００１５】
このことにより、複数の印刷条件にそれぞれ名称を付けて登録しておくことができる。従って、ユーザは行うべき印刷内容に合った設定名称を適宜選択することにより、効率よく印刷条件を設定することができる。
（ｅ）  上記印刷条件手順設定画面は、上記設定名称表示部に表示される設定名称を選択することにより、選択された設定名称に対応する設定内容を上記順序表示部に表示する。
【００１６】
このことにより、選択した設定名称がどの印刷設定項目を含み、それらがどのような表示順序になっているかを容易に把握することができる。
（ｆ）  上記印刷条件手順設定画面は、上記設定名称を選択するための設定名称選択画面と、当該設定名称選択画面から表示を切り替えて、選択された設定名称に対応する設定内容を編集するための設定内容編集画面とを有し、
上記設定名称選択画面は上記設定名称表示部と上記順序表示部とを有し、上記設定内容編集画面は上記項目一覧表示部と上記順序表示部とを有する。
【００１７】
このことにより、設定名称選択時および当該設定名称に対応する設定内容の編集時の両方で、印刷設定項目の表示順序を確認することができる。さらに、画面を切り替えることにより、当該選択または編集のそれぞれに特化した表示部のみの画面とすることができる。従って、設定操作に不慣れな初心者であっても、戸惑うことなく作業できるだけでなく、手馴れた者にとっても効率よく印刷条件を設定することができる。
【００１８】
【発明の実施の形態】
以下添付図面を参照しながら、本発明の実施の形態について説明し、本発明の理解に供する。尚、以下の実施の形態は、本発明を具体化した一例であって、本発明の技術的範囲を限定する性格のものではない。
【００１９】
ここで、図１は本発明の実施の形態に係るプリンタドライバの動作環境の一例を表すブロック図、図２は本発明の実施の形態に係るプリンタドライバの印刷処理の一例を説明するフローチャート、図３は本発明の実施の形態に係るプリンタドライバにおける印刷条件入力画面の選択処理の一例を説明するフローチャート、図４は印刷条件入力画面の一例である設定開始画面を示す図、図５は印刷条件入力画面の一例である用紙設定画面を示す図、図６は印刷条件入力画面の一例である給紙設定画面を示す図、図７は印刷条件入力画面の一例である排紙設定画面を示す図、図７は印刷条件入力画面の一例である排紙設定画面を示す図、図８は印刷条件入力画面の一例である印刷設定確認画面を示す図、図９は印刷条件手順設定画面の一例である設定名称選択画面を示す図、図１０は印刷条件手順設定画面の一例である設定内容編集画面を示す図、図１１は本発明の実施の形態に係るプリンタドライバにおける印刷条件入力画面の表示順序を設定する処理の一例を説明するフローチャート、図１２は本発明の実施の形態に係るプリンタドライバにおける設定名称の選択処理の一例を説明するフローチャート、図１３は本発明の実施の形態に係るプリンタドライバにおける設定名称の編集処理の一例を説明するフローチャート、図１４は本発明の実施の形態に係るプリンタドライバにおける印刷設定項目の編集処理の一例を説明するフローチャート、図１５は本発明の実施の形態に係るプリンタドライバにおける印刷設定項目の削除処理の一例を説明するフローチャート、図１６は本発明の実施の形態に係るプリンタドライバにおける設定名称の追加処理の一例を説明するフローチャート、図１７は本発明の実施の形態に係るプリンタドライバにおける設定名称の削除処理の一例を説明するフローチャート、図１８は従来のプリンタドライバの印刷条件設定画面の一例を示す図である。
【００２０】
まず、図１および図４〜図１０を用いて、本発明の一実施形態に係る印刷システムＡの概略構成について説明する。
【００２１】
この印刷システムＡは、プリンタドライバ１０やプリンタ５による印刷処理等を実現するためのコンピュータ１に、コンピュータ１が備えるインターフェース４を介してプリンタ５、入力部６及び表示部７が接続されて構成されている。
【００２２】
コンピュータ１は、プリンタドライバ１０やオペレーションシステム等のソフトウェアプログラムがインストールされたプログラム領域３−１と、印刷条件に対応する設定画面、設定項目等の設定データ、および印刷条件入力画面の表示順序を一時的に記憶する設定データ領域３−２を備える記憶部３と、これらのプログラム、プリンタ５、入力部６、及び表示部７等を制御する例えばＣＰＵ等からなる制御部２とを具備して構成されている。プリンタドライバ１０は、制御部２がプログラム領域３−１に記憶されたプリンタドライバプログラムを実行することにより制御部２上で動作可能となる。尚、コンピュータ１は一般的な演算処理、記憶処理を行い得る通常のコンピュータであって，特殊なハードウェアを用いるものではない。ここで、印刷条件とは、印刷処理を実行するプリンタドライバもしくはプリンタの機能を発揮させるためにユーザが設定するものであって、例えば、用紙サイズ、印刷の向き、用紙の種類、両面印刷、綴じ代の有無、割付、倍率、配置等の条件がある。
【００２３】
プリンタ５は、上記プリンタドライバ１０が出力する印刷データを印刷する装置である。
【００２４】
入力部６は、マウスやキーボード等の外部入力手段であって、印刷条件の入力や、印刷処理実行の指示等をするために用いられる。
【００２５】
表示部７は、プリンタドライバ１０の印刷条件設定画面２００やマウスポインタ等を表示するためのものである。
【００２６】
プリンタドライバ１０は、ユーザが入力部６の操作により設定入力した印刷条件に基づいて文字或いは画像データ等をプリンタ５の印刷処理に適合する印刷データに変換し、この印刷データを印刷処理が実行されるプリンタ５に出力する基本的機能を有する。さらに、プリンタドライバ１０は、上記印刷条件のそれぞれを同様のカテゴリー毎に分けて、印刷条件設定項目として印刷条件設定画面２００に表示する。例えば、図５を例にとると、原稿サイズ、出力用紙サイズおよび用紙の向きが用紙設定という印刷条件設定項目の中に含まれている。
【００２７】
そして、プリンタドライバ１０は、図４〜図８に示される印刷条件設定項目のそれぞれに対応する上記印刷条件を入力するための複数の印刷条件入力画面２１０、印刷条件入力画面２１０の表示順序に基づいて当該印刷条件入力画面２１０に対応する印刷条件設定項目をフロー図形式で表示するフロー図形式画面２２０、および図９〜図１０に示される印刷条件入力画面２１０の表示順序を設定するための印刷条件手順設定画面１０１を表示させる機能を有する。さらに、プリンタドライバ１０は、フロー図形式入力画面２２０内の印刷条件設定項目が選択されることにより、当該選択された印刷条件設定項目に応じた印刷条件入力画面２１０に切り替わる機能とを有する。
【００２８】
印刷条件入力画面２１０は、印刷条件手順設定画面１０１で設定された表示順序に従って表示され、複数の印刷設定項目をユーザが理解しやすいような順番で問うようにしてユーザに対話形式で設定を促すことができる。従って、ユーザは自己の使用状況に適した、予め印刷設定手順設定画面にて上記表示順序を設定しておくことができる。上記表示順序はユーザが行うべき印刷内容に合わせて、または複数のユーザや部門による使用に対応するために複数設定することができる。
【００２９】
例えば、以下のような表示順序を設定することができる。
▲１▼基本的な印刷設定項目について順に表示させるような「簡易設定」の表示順序。
▲２▼詳細な印刷設定項目、言い換えれば全てまたは殆ど全ての印刷設定項目を順に表示させるような「詳細設定」の表示順序。
▲３▼上記▲１▼と▲２▼の中間的な一般ユーザが通常使用し得る印刷設定項目を順に表示させるような、「標準設定」の表示順序。
▲４▼ユーザ専用の表示順序。
▲５▼部門毎の業務内容に通常使用し得る印刷設定項目を順に表示させるような、部門毎の表示順序。
▲６▼上記▲１▼〜▲５▼の表示順序それぞれにおいて、ユーザが理解しやすいように最初は原稿サイズや印刷方向等の基本的な印刷条件を設定させ、徐々に排紙先の指定や印刷仕上げ方法等の複雑な印刷条件を設定させるような表示順序。
【００３０】
具体的な印刷操作の手順としては、上記▲６▼において上記▲３▼の「標準設定」を行う場合を例にとると、まずユーザにより印刷処理の指示がなされると、最初に印刷条件設定画面２００の印刷条件入力画面２１０にプリンタドライバ１０の印刷設定が開始されることを通知するための設定開始画面２１１（図４）を表示させ、次いで原稿サイズや出力用紙サイズ等の条件を設定するための用紙設定画面２１２（図５）、給紙段や原稿用紙の種類等の条件を設定するための給紙設定画面２１３（図６）、排紙先や印刷仕上げ等の条件を設定するための排紙設定画面２１４（図７）を順次表示させ、最後にユーザが設定した印刷条件を再確認させるための設定確認画面２１５（図８）を表示させることにより印刷条件を設定させる手順が考えられる。
【００３１】
ここで、上記▲１▼の「簡易設定」の場合は、例えば上記標準設定による手順から給紙設定画面を表示させないようにして、手順を簡略化することができる。また、上記▲２▼の「詳細設定」の場合は、例えば上記標準設定による手順に、１シートあたりページ数、両面印刷の有無や拡大／縮小倍率等の条件を設定するためのレイアウト設定画面、印刷データのフォント種や大きさ等の条件を設定するためのフォント設定画面、解像度やグレースケール設定等の条件を設定するためのグラフィック設定画面、ウォーターマークの種類や位置の条件を設定するためのウォーターマーク設定画面、（＊どのようなものか記入して下さい＊）等の条件を設定するためのジョブ拡張設定画面、印刷物にプロローブ文書またはエピローグ文書の添付条件を設定するためのプロローグ／エピローグ設定等を追加して、詳細な印刷条件の設定に対応する手順とすることができる。
【００３２】
上記▲４▼のユーザ専用の表示順序は、ユーザが自己の使用状況に合わせて設定されるもので、上記の各設定画面の中から適宜選択して表示順序に加えることができる。
【００３３】
上記▲５▼の部門毎の設定の場合は、例えば、設計部門においては上記▲３▼の標準設定と同様の手順とし、デザイン部門においては多様な印刷様式に対応するために、上記▲２▼の詳細設定と同様の手順とすることができる。
【００３４】
なお、印刷条件設定画面２００とはユーザからの印刷指示を受信したプリンタドライバ１０がユーザに印刷条件の設定を促すために表示させる設定画面であり，上記設定画面２１１〜２１５は印刷条件入力画面の一例である。
【００３５】
印刷入力設定画面２１０は、ユーザが上記印刷条件設定画面２００に設けられた次へ釦２０３或いは戻る釦２０２を選択することにより、予め定められた順序に基づいて切り替わる。これによりユーザが理解しやすいような順序で設定画面が切り替わるので、ユーザは容易に印刷条件の設定を行うことが可能となる。かかる切り替え方法については後段において詳述する。なお、印刷条件設定画面２００に示されるキャンセル釦２０１が選択されると印刷条件の設定及び印刷処理が中止され、完了釦２０４が選択されると設定された印刷条件に基づいて印刷処理が実行される。
【００３６】
フロー図形式画面２２０とは，例えば設定開始から設定完了までを印刷条件設定項目の一例である用紙設定、給紙設定、排紙設定などを予め定められた順序に基づいてフロー図形式画面２２０（図４等）に表示するものである。この場合、上記印刷条件の設定項目を印刷条件入力画面２１０に対応する名称とすることが好ましい。また、ユーザが設定中の印刷項目或いは印刷条件を上記フロー図から容易に把握できるように例えば設定中の設定画面に対応する上記フロー図の設定項目を色分け又はマーク付けすることが好ましい。こうすることにより、ユーザは印刷設定開始から設定完了までの印刷条件の設定順序及び入力順位を容易に把握することが可能になる。
【００３７】
上記フロー図形式画面２２０に表示される設定項目には複数の印刷条件が含まれるものとして説明したが，特にこれに限られず，予め定められた順序に基づいて個々の印刷条件をフロー図形式で表示するものであってもよい。
【００３８】
プリンタドライバ１０は上述のような印刷条件入力画面２１０とフロー図形式画面２２０とを印刷条件設定画面２００に並べて表示させる機能を有し、この機能は例えば図４〜図８に示されるように、印刷条件設定画面２００内の左側にフロー図形式画面２２０、右側に印刷条件入力画面２１０（詳細には各設定画面２１１〜２１５等）を並べて配置させる機能である。このように配置することにより、ユーザは印刷条件入力画面２１０で印刷条件を入力しながら、フロー図形式画面２２０で印刷条件入力画面が表示される順序、即ち印刷条件の設定順序及び入力順位を容易に把握することができることになる。
【００３９】
また、プリンタドライバ１０が有するフロー図形式画面２２０内の印刷条件設定項目が選択されることにより印刷条件入力画面が当該印刷条件設定項目に応じた印刷条件入力画面に切り替える機能とは、例えばマウス等によりユーザが上記フロー形式画面２２０に表示される設定項目やそのアイコン等を選択することにより、選択された設定項目に対応する（リンクする）印刷条件入力画面２１０（詳細には各設定画面２１１〜２１５等）を印刷条件設定画面２００に表示させる処理を実行する機能である。こうすることにより、選択された印刷条件設定項目に対応する（リンクする）印刷条件入力画面２１０（詳細には各設定画面２１１〜２１５等）をダイレクトに表示させることができるので、設定したい印刷条件又はその印刷条件を含む設定項目が予め分かっている場合は、設定する必要のない印刷条件の入力画面を表示させることなく印刷設定をすることができる。
【００４０】
次に、図２を用いて印刷システムＡにおけるプリンタドライバ１０が行う印刷条件設定処理の手順の一例を説明する。図中のＳ１０、Ｓ２０、…は処理手順（ステップ）番号を示す。処理はステップＳ１０より開始される。
【００４１】
プリンタドライバ１０は、ユーザからの印刷指示を受け付けると（Ｓ１０）、印刷条件設定画面２００（図４）を表示部７に表示させる。当該印刷条件設定画面２００には、印刷条件手順設定画面１０１によって予め定められた印刷条件入力画面２１０の表示順序に基づいて設定画面２１１〜２１５等を切り替える印刷条件入力画面２１０と、当該表示順序に基づいて印刷設定項目をフロー図形式で表示するフロー図形画面２２０とが含まれている。これらの印刷条件入力画面２１０とフロー図形式画面２２０はプリンタドライバ１０によって印刷条件設定画面２００に作成されるものである。
【００４２】
フロー図形式画面２２０には、印刷条件設定項目の一例である開始項目２２１、用紙設定項目２２２、給紙設定項目２２３、排紙設定項目２２４、及び設定完了項目２２５の順に設定がされることを示すフロー図が表示されている。ユーザからの印刷指示を受け付けてから最初に表示される印刷条件設定画面２００の印刷条件入力画面２１０には設定開始画面２１１が表示され，フロー形式画面２２０には上記印刷条件入力画面２１０に表示された設定開始画面２１１に対応する開始項目２２１が表示される（Ｓ２０）。この場合，フロー形式画面２２０は設定開始画面２２１を表示していることが明確に把握されるように、例えば開始項目だけを他の設定項目と色分けやマーク付け等して識別できるようにすることが好ましい。
【００４３】
次に，ステップＳ３０では，フロー図形式画面２２０の設定項目が選択された場合に表示される印刷条件入力画面２１０の選択処理がなされる。この処理は、例えば、印刷条件設定項目がマウス等により選択された場合には，選択された設定項目に該当する印刷条件入力画面２１０を印刷条件設定画面２００に表示させる処理である。ステップＳ３０における処理手順については図３を用いて後段において詳細に説明する。
【００４４】
ステップＳ４０では、ユーザによって次へ釦２０３が選択されたかどうかが判断され、上記表示順序に基づいて次の印刷条件入力画面２１０が印刷条件設定画面２００に表示される（Ｓ４１）。
【００４５】
ステップＳ５０では、ユーザによって戻る釦２０２が選択されたかどうかが判断され、選択されたと判断されると上記表示順序に基づいて前の印刷条件入力画面２１０が印刷条件設定画面２００に表示される（Ｓ５１）。
【００４６】
このようにステップＳ４０、Ｓ４１、Ｓ５０、Ｓ５１で実行される処理が、印刷条件を設定する印刷条件設定画面が予め定められた印刷条件設定手順に基づいて印刷条件入力画面を切り替える処理であり、即ちウィザード形式の入力画面を表示させる処理の一例である。
【００４７】
ステップＳ６０では、ユーザによってキャンセル釦２０１が選択されたかどうかが判断され、選択されたと判断されると印刷条件の設定及び印刷処理が中止される（Ｓ６１）。
【００４８】
ステップＳ７０では、ユーザによって完了釦２０４が選択されたかどうかが判断され、選択されたと判断されると設定された印刷条件に基づいて印刷処理が実行される。（Ｓ７１）。
【００４９】
上記ステップＳ３０〜Ｓ７０の処理はループを形成し、キャンセル釦２０１または完了釦２０４が選択されない限り印刷条件設定の処理は終了しない。
【００５０】
次に、図３を用いて印刷システムＡにおけるプリンタドライバ１０が行う印刷条件入力画面を選択する処理手順の一例を説明する。図中のＳ１００、Ｓ２００、…は処理手順（ステップ）番号を示す。処理はステップＳ１００より開始される。
【００５１】
プリンタドライバ１０は、ユーザによってフロー図形式画面２２０に表示される印刷条件設定項目からいずれかの設定項目が選択されたかどうかを判断し、選択されたと判断された場合は選択された設定項目に対応する（リンクする）印刷条件入力画面２１０を印刷条件設定画面２００に表示する。
【００５２】
ステップＳ１００では開始項目が選択されたかどうかが判断され、選択されたと判断されると設定開始画面２１１を印刷条件入力画面２１０に表示させる（Ｓ１１０）。ステップＳ２００では用紙設定項目、ステップＳ３００では給紙設定項目、ステップＳ４００では排紙設定項目がステップＳ１００と同様にして判断され、選択されたと判断されるとそれぞれ対応する（リンクする）印刷条件入力画面２１０（用紙設定画面２１２、給紙設定画面２１３、排紙設定画面２１４）を印刷条件設定画面２１０に表示させる。印刷条件入力画面２１０の選択処理（Ｓ３０）が一旦開始されると，上記ステップＳ１００〜Ｓ４００の処理は完了項目（Ｓ５００）或いは完了釦２０４（図２）が選択されるまで実行される。ステップＳ５００で完了項目が選択されたと判断されると設定された印刷条件に基づいて印刷処理が実行される。
【００５３】
このように、ステップＳ１００〜Ｓ４００で実行される処理が、フロー図形式画面２２０内の印刷条件設定項目が選択されることにより選択された印刷条件設定項目に応じた印刷条件入力画面に切り替える処理の一例である。
【００５４】
次に、図１１を用いて印刷システムＡにおけるプリンタドライバ１０が行う印刷条件手順設定処理の手順の一例を説明する。図中のＳ６００、Ｓ７００、…は処理手順（ステップ）番号を示す。処理はステップＳ６００より開始される。
【００５５】
なお、図９〜図１０に示されるように印刷条件手順設定画面１０１は、印刷条件入力画面２１０（詳細には設定画面２１１〜２１５等）の表示順序の設定名称を選択するための設定名称選択画面１１０と、選択された設定名称に対応する設定内容を編集するための設定内容編集画面１２０とを有する。従って、印刷条件手順設定処理の操作は設定名称選択画面１１０と設定内容編集画面１２０上で行われることになる。
【００５６】
プリンタドライバ１０は、ユーザからの印刷条件の手順設定指示を受け付けると（Ｓ６００）、設定名称選択画面１１０を表示部７に表示させる（Ｓ７００）。当該設定名称選択画面１１０には、設定名称表示部１１１、順序表示部１１２、追加釦１１３、編集釦１１４、削除釦１１５、ＯＫ釦１０２、キャンセル釦１０３および適用釦１０４が表示されている。設定名称表示部１１１には「簡易設定」、「標準設定」および「詳細設定」などの設定名称がリスト形式で表示される。順序表示部１１２には、当該設定名称表示部で選択された設定名称に対応する印刷条件設定項目が上記表示順序に従って表示される。そして、追加釦１１３、編集釦１１４、削除釦１１５を操作することによって上記表示順序の追加、編集または削除の処理に移ることができるようになっている。これら設定名称の選択処理手順については、図１２を用いて後段で詳細に説明する。
【００５７】
上記設定名称選択処理（Ｓ８００）の後、ステップＳ９００では、ユーザによってＯＫ釦１０２が選択されたかどうかが判断され、選択されたと判断されると設定名称表示部１１１に表示されている設定名称に対応する印刷条件手順の設定内容（印刷条件入力画面２１０の表示順序とそれに対応する印刷条件設定項目、および設定名称）が設定データ領域３−２に保存される（Ｓ９１０）。保存後、印刷条件手順設定処理は終了する。
【００５８】
次に、ステップＳ１０００では、ユーザによってキャンセル釦１０３が選択されたかどうかが判断され、選択されたと判断されると上記設定内容が保存されること無く処理が終了する。
【００５９】
次に、ステップＳ１１００では、ユーザによって適用釦１０４が選択されたかどうかが判断され、選択されたと判断されると上記設定内容が設定データ領域３−２に保存される（Ｓ１１１０）。但し、印刷条件手順設定処理は終了せず、継続して印刷条件手順の設定操作を行うことができる。
【００６０】
上記ステップＳ８００〜Ｓ１１１０の処理はループを形成し、ＯＫ釦１０２またはキャンセル釦１０３が選択されない限り印刷条件設定の処理は終了しない。
【００６１】
次に、図１２を用いて印刷システムＡにおけるプリンタドライバ１０が行う設定名称の選択処理手順の一例を説明する。図中のＳ８１００、Ｓ８１１０、…は処理手順（ステップ）番号を示す。処理はステップＳ８０００より開始される。
【００６２】
なお、図９に示されるように設定名称選択画面１１０には、設定名称表示部１１１、順序表示部１１２、追加釦１１３、編集釦１１４、削除釦１１５、ＯＫ釦１０２、キャンセル釦１０３および適用釦１０４が表示されている。設定名称表示部１１１には簡易設定、標準設定および詳細設定などの設定名称がリスト形式で表示されており、順序表示部１１２には、用紙設定、給紙設定および排紙設定などの印刷条件設定項目が上記表示順序に従って表示される。
【００６３】
プリンタドライバ１０は、上記ステップＳ７００の後、ユーザによって設定名称選択画面１１０に表示される設定名称表示部１１１からいずれかの設定名称が改めて選択されたかどうか、すなわち設定名称の選択が変更されたかどうかを判断（Ｓ８１００）し、選択が変更されたと判断された場合は選択された設定名称を反転表示させる（Ｓ８１１０）。そして、選択変更された設定名称に対応する印刷条件手順の設定内容（印刷条件入力画面２１０の表示順序とそれに対応する印刷条件設定項目、および設定名称）を設定データ領域３−２から読込み（Ｓ８１２０）、当該設定名称に対応する印刷条件設定項目を印刷条件入力画面２１０の表示順序に従って順序表示部１１２に表示する（Ｓ８１３０）。このとき、以前に順序表示部に表示されていた印刷条件設定項目は消去される。なお、上記設定名称の選択の変更とは、以前に選択されていた設定名称とは異なる設定名称を選択すること、あるいは設定名称が選択されていないときに設定名称を選択した場合することを指す。設定名称が選択されていないのは、印刷条件手順設定処理の初期、または後述のステップＳ８３１０の削除処理後である。図９を例にとると、設定名称は「標準設定」が選択されており、これに対応する設定内容として用紙設定、給紙設定および排紙設定がこの順に上記表示順序を示す番号とともに表示されている。
【００６４】
次にステップＳ８１５０では、設定名称が既に選択されているかどうかが判断され、選択されていると判断されない場合、すなわち未だ選択されていない場合、後述のステップＳ８４００に移行する。
【００６５】
次にステップＳ８２００では、ユーザによって編集釦１１４が選択されたかどうかが判断され、選択されたと判断されると、上記選択されて設定名称についての印刷条件手順の設定内容を編集する処理に移行する（Ｓ８２１０）。当該編集処理については、図１３を用いて後段で詳細に説明する。当該編集処理後に選択されている設定名称は、当該編集処理前のものがそのまま維持される。
【００６６】
次にステップＳ８３００では、ユーザによって削除釦１１５が選択されたかどうかが判断され、選択されたと判断されると、上記選択されて設定名称についての印刷条件手順の設定内容を削除する処理に移行する（Ｓ８３１０）。当該削除処理については、図１７を用いて後段で詳細に説明する。なお、当該削除処理では選択されていた設定名称は削除されるので、当該処理終了後、設定名称はいずれも選択されていない状態になる。
【００６７】
次にステップＳ８４００では、ユーザによって追加釦１１３が選択されたかどうかが判断され、選択されたと判断されると、設定名称と印刷条件手順の設定内容とを追加する処理に移行する（Ｓ８４１０）。当該追加処理については、後段で詳細に説明する。上記ステップＳ８４００で選択されたと判断されない場合、あるいはステップＳ８４１０の追加処理が終了した後、設定名称の選択処理が終了して上記印刷条件手順の設定処理に戻り、上記ステップＳ９００に移行する。当該追加処理後に選択されている設定名称は、当該追加処理前のものがそのまま維持される。
【００６８】
次に、図１３を用いて印刷システムＡにおけるプリンタドライバ１０が行う設定名称の編集処理手順の一例を説明する。図中のＳ８２２０、Ｓ８２３２、…は処理手順（ステップ）番号を示す。処理はステップＳ８２２０より開始され、ユーザが設定内容編集画面上を操作することにより行われる。
【００６９】
図１０に示されるように、設定内容編集画面１２０には、選択名称表示部１２１、項目一覧表示部１２２、順序表示部１２３、矢印釦１２６，１２７、ＯＫ釦１２４およびキャンセル釦１２５が表示されている。選択名称表示部１２１には設定名称選択画面１１０で選択された設定名称が表示される。順序表示部１２３には当該設定名称に対応する印刷条件設定項目が印刷条件入力画面２１０の表示順序に従って表示される。項目一覧表示部１２２には、順序表示部１２３に表示されているものを除く全ての印刷条件設定項目が表示される。
【００７０】
プリンタドライバ１０は、上記ステップＳ８２００の後、画面を設定名称選択画面１１０から設定内容編集画面１２０に切り替えて表示部７に表示させる（Ｓ８２２０）。このとき、プリンタドライバ１０は、上記ステップＳ８１２０で最後に読込んだ設定内容を設定内容編集画面１２０に表示する。図１０を例にとると、選択名称表示部１２１には選択された設定名称として「標準設定」が選択されており、順序表示部１２３にはこれに対応する設定内容として用紙設定、給紙設定および排紙設定がこの順に上記表示順序を示す番号とともに表示されている。また、項目一覧表示部１２２には、順序表示部１２３に表示されていない印刷条件設定項目であるレイアウト設定、フォント設定、グラフィック設定、ウォーターマーク設定、ジョブ拡張設定およびプロローグ／エピローグ設定などが表示される。なお、設定名称選択画面１１０は不可視とするか、あるいは非アクティブとして操作を禁止すれば良い。
【００７１】
次にステップＳ８２３０では、項目一覧表示部１２２に表示されている印刷条件設定項目を順序表示部１２３に移行するための処理が行われる。このことは、設定内容編集画面１２０で編集中の設定名称の上記設定条件に、新たに印刷条件設定項目を追加する処理に他ならない。当該追加処理については、図１４を用いて後段で詳細に説明する。
【００７２】
次にステップＳ８２４０では、順序表示部１２３に表示されている印刷条件設定項目を項目一覧表示部１２２に移行するための処理が行われる。このことは、設定内容編集画面１２０で編集中の設定名称の上記設定条件から、印刷条件設定項目を削除する処理に他ならない。当該削除処理については、図１５を用いて後段で詳細に説明する。
【００７３】
次にステップＳ８２５０では、ユーザによってＯＫ釦１２４が選択されたかどうかが判断され、選択されたと判断されるとステップＳ８２７０に移行する。上記ステップＳ８２５０でＯＫ釦１２４が選択されたと判断されない場合は、ステップＳ８２６０に移行する。
【００７４】
ステップＳ８２７０では、選択名称表示部１２１に表示されている設定名称に対応する印刷条件手順の設定内容（印刷条件入力画面２１０の表示順序とそれに対応する印刷条件設定項目、および設定名称）が設定データ領域３−２に保存される。保存後、印刷条件手順設定処理は終了する。
【００７５】
ステップＳ８２６０では、ユーザによってキャンセル釦１２５が選択されたかどうかが判断され、選択されたと判断されると上記設定内容が保存されること無く処理が終了する。逆に選択されたと判断されない場合は、上記ステップＳ８２３０に移行して、設定名称の編集操作を継続することができる。
【００７６】
次に、図１４を用いて印刷システムＡにおけるプリンタドライバ１０が行う印刷条件設定項目の追加処理手順の一例を説明する。図中のＳ８２３２、Ｓ８２３４、…は処理手順（ステップ）番号を示す。処理はステップＳ８２３２より開始される。
【００７７】
上記ステップＳ８２２０の後、あるいは上記ステップＳ８２６０でキャンセル釦１２５が選択されたと判断されない場合、ユーザによって項目一覧表示部１２２からいずれかの印刷条件設定項目が改めて選択されたかどうか、すなわち当該設定項目の選択が変更されたかどうかを判断（Ｓ８２３２）し、選択が変更されたと判断された場合は選択された印刷条件設定項目を反転表示させる（Ｓ８２３４）。
【００７８】
次にステップＳ８２３５では、項目一覧表示部１２２の印刷条件設定項目が既に選択されているかどうかが判断され、選択されていると判断されない場合、すなわち後述の順序表示部１２３の印刷設定項目が選択されている場合、上記ステップＳ８２４０に移行する。
【００７９】
次にステップＳ８２３６では、ユーザによって矢印１２６が選択されたかどうかが判断され、選択されたと判断されると反転表示されている印刷条件設定項目が、項目一覧表示部１２２から削除され（Ｓ８２３８）、順序表示部１２３の最下位に表示される（Ｓ８２３９）。
【００８０】
次に、図１５を用いて印刷システムＡにおけるプリンタドライバ１０が行う印刷条件設定項目の削除処理手順の一例を説明する。図中のＳ８２４２、Ｓ８２４４、…は処理手順（ステップ）番号を示す。処理はステップＳ８２４２より開始される。
【００８１】
上記ステップＳ８２３０の後、ユーザによって順序表示部１２３からいずれかの印刷条件設定項目が改めて選択されたかどうか、すなわち当該設定項目の選択が変更されたかどうかを判断（Ｓ８２４２）し、選択が変更されたと判断された場合は選択された印刷条件設定項目を反転表示させる（Ｓ８２４４）。
【００８２】
次にステップＳ８２４５では、順序表示部１２３の印刷条件設定項目が既に選択されているかどうかが判断され、選択されていると判断されない場合、すなわち後述の項目一覧表示部１２２の印刷設定項目が選択されている場合、上記ステップＳ８２５０に移行する。次にステップＳ８２４６では、ユーザによって矢印１２７が選択されたかどうかが判断され、選択されたと判断されると反転表示されている印刷条件設定項目が、順序表示部１２３から削除され（Ｓ８２４８）、項目一覧表示部１２２に表示される（Ｓ８２４９）。
【００８３】
なお、本実施形態では項目一覧表示部１２２と順序表示部１２３に表示された印刷条件設定項目の両方を同時に選択できないものとしたが、同時に選択できるものとしても良く、また複数の項目を同時に選択できるものとしても良い。
【００８４】
次に、図１６を用いて印刷システムＡにおけるプリンタドライバ１０が行う設定名称の追加処理手順の一例を説明する。図中のＳ８４２０、Ｓ８４３２、…は処理手順（ステップ）番号を示す。処理はステップＳ８４２０より開始され、ユーザが設定内容編集画面上１２０を操作することにより行われる。
【００８５】
プリンタドライバ１０は、上記ステップＳ８４００の後、画面を設定名称選択画面１１０から設定内容編集画面１２０に切り替えて表示部７に表示させる（Ｓ８４２０）。このとき、選択名称表示部１２１および順序表示部１２３は空欄になっており、項目一覧表示部１２２には全ての印刷条件設定項目が表示されている。さらに、選択名称表示部１２１にはユーザが任意の設定名称を入力することができる。その他については、上記設定名称の編集処理手順（Ｓ８２２０）の場合と同様である。
【００８６】
次にステップＳ８４３０では、項目一覧表示部１２２に表示されている印刷条件設定項目を順序表示部１２３に移行するための処理が行われる。この処理は上記設定名称の編集処理手順のステップＳ８２３０と同様である。
【００８７】
次にステップＳ８４４０では、順序表示部１２３に表示されている印刷条件設定項目を項目一覧表示部１２２に移行するための処理が行われる。この処理は上記設定名称の編集処理手順のステップＳ８２４０と同様である。
【００８８】
次にステップＳ８４５０では、ユーザによってＯＫ釦１２４が選択されたかどうかが判断され、選択されたと判断されるとステップＳ８４５２に移行する。上記ステップＳ８４５０でＯＫ釦１２４が選択されたと判断されない場合は、ステップＳ８４６０に移行する。
【００８９】
ステップＳ８４５２では、選択名称表示部１２１に設定名称が既に入力されているかどうかが判断され、選択されたと判断されるとステップＳ８４５４に移行する。上記ステップＳ８４５０で設定名称が入力されていると判断されない場合は、設定名称が入力されていないことを示すエラーメッセージを表示部７に表示され（Ｓ８４５６）、上記ステップＳ８４３０に移行して設定名称の追加操作を継続する。
【００９０】
ステップＳ８４５４では、順序表示部１２３に印刷設定項目が表示されているかどうかが判断され、選択されたと判断されると選択名称表示部１２１に表示されている設定名称に対応する印刷条件手順の設定内容（印刷条件入力画面２１０の表示順序とそれに対応する印刷条件設定項目、および設定名称）が設定データ領域３−２に保存される。保存後、印刷条件手順設定処理は終了する。上記ステップＳ８４５４で設定名称が入力されていると判断されない場合は、上記ステップＳ８４５６と同様の処理を実行する。
【００９１】
ステップＳ８４６０では、ユーザによってキャンセル釦１２５が選択されたかどうかが判断され、選択されたと判断されると上記設定内容が保存されること無く処理が終了する。逆に選択されたと判断されない場合は、上記ステップＳ８４３０に移行して、設定名称の編集操作を継続することができる。
【００９２】
次に、図１７を用いて印刷システムＡにおけるプリンタドライバ１０が行う設定名称の追加処理手順の一例を説明する。図中のＳ８３１２、Ｓ８３１４、…は処理手順（ステップ）番号を示す。処理はステップＳ８４１２より開始される。
【００９３】
プリンタドライバ１０は、上記ステップＳ８３００の後、項目一覧表示部から選択されている設定名称を消去し（Ｓ８３１２）、順序表示部に表示されている設定条件項目を消去する（Ｓ８３１４）。
【００９４】
次に、ステップＳ８３１０では、設定データ領域３−２に保存されている上記選択設定名称に関する設定条件のデータを削除する。
【００９５】
【発明の効果】
以上説明したように、本発明によれば、印刷条件を設定する印刷条件設定画面が、複数の印刷条件設定項目のそれぞれに対応する上記印刷条件を入力するための複数の印刷条件入力画面と、上記印刷条件入力画面の表示順序を設定するための印刷条件手順設定画面とを有するので、ユーザが設定した手順に基づいて表示される印刷条件入力画面で印刷条件を設定することが可能になる。その結果，設定操作に不慣れな初心者であっても、順次表示される画面に従って印刷条件を入力していけば良いので印刷条件の設定が容易に行われることになる。
【００９６】
また、上記印刷条件設定画面が、上記印刷条件手順設定画面によって予め定められた上記印刷条件入力画面の表示順序に基づいて、当該印刷条件入力画面に対応する印刷条件設定項目をフロー図形式で表示するフロー図形式画面を有するので、予め定められた設定手順に基づいて表示される印刷条件入力画面で印刷条件の設定をしながら、フロー図で印刷条件の設定順序及び入力順位を容易に把握することが可能になる。その結果、設定操作に不慣れな初心者にとって、より一層容易に印刷条件を設定することができる。
【００９７】
また、上記印刷条件入力画面が、上記印刷条件設定項目を選択することにより当該印刷条件設定項目に応じた印刷条件入力画面に切り替わるので、選択された印刷条件設定項目に対応する（リンクする）印刷条件入力画面をダイレクトに表示させることができる。従って、設定したい印刷条件又はその印刷条件を含む設定項目が予め分かっている場合は、設定する必要のない印刷条件の入力画面を表示させることなく迅速に印刷条件を設定することができる。その結果、設定操作に不慣れな初心者だけでなく、手馴れた者にとってもストレスなく印刷条件を設定することができる。
【００９８】
また、上記印刷条件手順設定画面が、上記印刷条件設定項目の一覧を表示する項目一覧表示部と、上記印刷条件入力画面に対応する印刷条件設定項目を上記表示順序に従って表示する順序表示部とを有し、上記順序表示部に含まれる印刷条件設定項目を当該順序表示部から削除または上記項目一覧表示部から印刷条件設定項目を追加すること、あるいは上記順序表示部に含まれる印刷条件設定項目を表示する順序を変更することができる。このことにより、印刷条件入力画面として表示する印刷設定項目およびその表示順序を自由に設定することができるようになり、プリンタの使用状況に合わせて、ユーザが印刷条件を変更しないような印刷設定項目を表示させないようにすること、優先順位の高い、例えば使用頻度の多い印刷設定項目の表示順序を早くすることができる。その結果、ユーザは無駄な作業をすることなく、効率よく印刷条件の設定を行うことができる。
【００９９】
また、上記印刷条件手順設定画面が、上記表示順序の設定名称を複数表示可能な設定名称表示部を有し、
上記設定名称表示部に新規設定名称を追加することができるとともに、上記設定名称表示部に表示される設定名称を編集または削除することができるので、複数の印刷条件にそれぞれ名称を付けて登録しておくことができる。その結果、ユーザは行うべき印刷内容に合った設定名称を適宜選択することにより、効率よく印刷条件を設定することができる。
【０１００】
また、上記印刷条件手順設定画面が、上記設定名称表示部に表示される設定名称を選択することにより、選択された設定名称に対応する設定内容を上記順序表示部に表示するので、選択した設定名称がどの印刷設定項目を含み、それらがどのような表示順序になっているかを容易に把握することができる。
【０１０１】
また、上記印刷条件手順設定画面が、上記設定名称を選択するための設定名称選択画面と、当該設定名称選択画面から表示を切り替えて、選択された設定名称に対応する設定内容を編集するための設定内容編集画面とを有し、
上記設定名称選択画面は上記設定名称表示部と上記順序表示部とを有し、上記設定内容編集画面は上記項目一覧表示部と上記順序表示部とを有するので、設定名称選択時および当該設定名称に対応する設定内容の編集時の両方で、印刷設定項目の表示順序を確認することができる。さらに、画面を切り替えることにより、当該選択または編集のそれぞれに特化した表示部のみの画面とすることができる。その結果、設定操作に不慣れな初心者であっても、戸惑うことなく作業できるだけでなく、手馴れた者にとっても効率よく印刷条件を設定することができる。
【図面の簡単な説明】
【図１】本発明の実施の形態に係るプリンタドライバの動作環境の一例を表すブロック図。
【図２】本発明の実施の形態に係るプリンタドライバの印刷処理の一例を説明するフローチャート。
【図３】本発明の実施の形態にかかるプリンタドライバの印刷条件入力画面の選択処理の一例を説明するフローチャート。
【図４】印刷条件入力画面の一例である設定開始画面を示す図。
【図５】印刷条件入力画面の一例である用紙設定画面を示す。
【図６】印刷条件入力画面の一例である給紙設定画面を示す図。
【図７】印刷条件入力画面の一例である排紙設定画面を示す図。
【図８】印刷条件入力画面の一例である印刷設定確認画面を示す図。
【図９】印刷条件手順設定画面の一例である設定名称選択画面を示す図
【図１０】印刷条件手順設定画面の一例である設定内容編集画面を示す図
【図１１】本発明の実施の形態に係るプリンタドライバにおける印刷条件入力画面の表示順序を設定する処理の一例を説明するフローチャート
【図１２】本発明の実施の形態に係るプリンタドライバにおける設定名称の選択処理の一例を説明するフローチャート
【図１３】は本発明の実施の形態に係るプリンタドライバにおける設定名称の編集処理の一例を説明するフローチャート
【図１４】は本発明の実施の形態に係るプリンタドライバにおける印刷設定項目の編集処理の一例を説明するフローチャート
【図１５】は本発明の実施の形態に係るプリンタドライバにおける印刷設定項目の削除処理の一例を説明するフローチャート
【図１６】は本発明の実施の形態に係るプリンタドライバにおける設定名称の追加処理の一例を説明するフローチャート
【図１７】は本発明の実施の形態に係るプリンタドライバにおける設定名称の削除処理の一例を説明するフローチャート
【図１８】従来のプリンタドライバの印刷条件設定画面の一例を示す図。
【符号の説明】
１…コンピュータ
２…制御部
３…記憶部
３−１…プログラム領域
３−２…設定データ領域
４…インターフェース
５…プリンタ
６…入力部
７…表示部
１０…プリンタドライバ
９０…従来の印刷条件設定画面
１０１…印刷条件手順設定画面
１１０…設定名称選択画面
１１１…設定名称表示部
１１２…順序表示部
１２０…設定内容編集画面
１２１…選択名称表示部
１２２…項目一覧表示部
１２３…順序表示部
２００…印刷条件設定画面
２０３…次へ釦
２０２…戻る釦
２０１…キャンセル釦
２０４…完了釦
２１０…印刷条件入力画面
２１１…設定開始画面
２１２…用紙設定画面
２１３…給紙設定画面
２１４…排紙設定画面
２１５…設定確認画面
２２０…フロー図形式画面
【図１】
2004326426.tif 000003
【図２】
2004326426.tif 000004
【図３】
2004326426.tif 000005
【図４】
2004326426.tif 000006
【図５】
2004326426.tif 000007
【図６】
2004326426.tif 000008
【図７】
2004326426.tif 000009
【図８】
2004326426.tif 000010
【図９】
2004326426.tif 000011
【図１０】
2004326426.tif 000012
【図１１】
2004326426.tif 000013
【図１２】
2004326426.tif 000014
【図１３】
2004326426.tif 000015
【図１４】
2004326426.tif 000016
【図１５】
2004326426.tif 000017
【図１６】
2004326426.tif 000018
【図１７】
2004326426.tif 000019
【図１８】
2004326426.tif 000020